(57)【要約】【課題】各種梱包部材を切断して取り外すために用いる、カッターを提供する。【解決手段】カッター１００は、本体１０、カッターユニット２０及び２つの保護片３０を備える。本体１０は、板体であるとともに、本体１０の長軸両端に第１の端部１１及び第２の端部１２がそれぞれ設けられる。第１の端部１１には、カッターヘッド１３が設けられる。カッターヘッド１３は、略三角形状を呈するとともに、先端縁１３１及び２つの第１の平面１３２を有する。カッターヘッド１３の先端縁１３１の中央部には、収容空間と連通する第１の開口が形成される。本体１０の第１の平面１３２には、収容空間と連通する第２の開口がそれぞれ形成される。カッターユニット２０は、プレート状であり、カッターヘッド１３の収容空間に挿設されるとともに、第１の開口から突出される尖鋭状の第１の尖端部２２を有する。【選択図】図３
0003204038.tif 000002
【実用新案登録請求の範囲】
【請求項１】
本体、カッターユニット及び２つの保護片を備えたカッターであって、
前記本体は、板体であるとともに、前記本体の長軸両端に第１の端部及び第２の端部がそれぞれ設けられ、前記第１の端部には、カッターヘッドが設けられ、前記カッターヘッドは、略三角形状を呈するとともに、先端縁及び２つの第１の平面を有し、前記カッターヘッドには、収容空間が形成され、前記カッターヘッドの先端縁の中央部には、前記収容空間と連通する第１の開口が形成され、前記本体の前記第１の平面には、前記収容空間と連通する第２の開口がそれぞれ形成され、
前記カッターユニットは、プレート状であり、前記カッターヘッドの前記収容空間に挿設されるとともに、前記第１の開口から突出される尖鋭状の第１の尖端部を有し、前記カッターユニットは、両側が前記第２の開口からそれぞれ突出されるとともに、刃先部を有し、
前記保護片は、前記カッターユニットの両側をそれぞれ覆うとともに、前記本体と間隔をおいて配設され、前記保護片と前記本体との間にはチャネルが形成され、前記保護片の一側には、前記カッターユニットに隣接するように第２の平面がそれぞれ形成され、前記第１の平面は、前記第２の平面に対して平行であり、前記第２の平面と前記本体の長軸とにより第１の角度が形成され、前記第２の平面の前記刃先部に相対する位置には、第２の端部へ向かって外方へ広がった形状の第３の平面が形成され、前記第３の平面と前記本体の長軸との間には、第２の角度が形成され、前記第２の角度は、前記第１の角度より大きく、前記第３の平面と前記本体との間には、第１のネック口部が形成され、
前記カッターユニットにより梱包部材の刺衝及び切断を行い、前記カッターユニットが前記第２の開口から突出され、前記カッターユニットの両側を覆う複数の前記保護片が前記本体と間隔をおいて設置されているため、切断がスムーズに行われることを特徴とするカッター。
【請求項２】
前記保護片の先端縁には、当接部がそれぞれ突設され、
前記保護片の外側面と、前記第３の平面との間には鋭角がそれぞれ形成され、前記保護片に鋭い角部がそれぞれ成形されることを特徴とする請求項１に記載のカッター。
【請求項３】
前記カッターユニットは、階段状であるとともに、両側に傾斜端がそれぞれ設けられ、
前記傾斜端は、前記第２の開口からそれぞれ突出され、
前記カッターユニットには、前記第１の尖端部と相対する側に刃先部が一体成形され、
前記カッターユニットには、前記傾斜端に隣接するように長尺状孔がそれぞれ形成され、
前記カッターユニットの中央部には、複数の穿孔が形成され、
前記本体及び前記保護片は、長尺状孔及び穿孔を介して前記カッターユニットと一体成形されることを特徴とする請求項１に記載のカッター。
【請求項４】
前記刃先部の両端には、第２の尖端部がそれぞれ突設されていることを特徴とする請求項１に記載のカッター。
【請求項５】
前記本体の前記第１の平面と前記保護片の前記第２の平面との間に形成された第３の角度により、前記本体と前記第２の平面との間に第２のネック口部が形成され、
前記第３の角度は、１〜１０度であり、
前記第２の角度から前記第１の角度を減算した角度は２０〜４０度であることを特徴とする請求項１に記載のカッター。
【考案の詳細な説明】
【技術分野】
【０００１】
本考案は、カッターに関し、特に、各種梱包部材を切断して取り外すために用いる、カッターに関する。
【背景技術】
【０００２】
物を搬送する際、搬送物が他の物に当たって損壊することを防ぐために、搬送物を箱又は袋に入れてから粘着テープで貼り合わせるかホチキスで留め、ビニール袋で包んで梱包するが、梱包部材を開封する際カッターを使用するのが一般的である。図１に示すように、従来のカッター１は、本体２を含む。本体２の先端縁には、当接部３が設けられている。本体２の両側には、突片４が延びるように一体成形され、突片４と本体２との間には、間隙５が形成されている。本体２は、カッターユニット６を覆う。カッターユニット６は、一側に形成された尖端部７と、他側に形成された刃先部８と、を有する。尖端部７は、当接部３から突出される。刃先部８は、間隙５から突出される。ユーザは、尖端部７を用いて梱包部材を刺衝し、刃先部８により梱包部材を切断して取り除き、カッター１により各種梱包部材を切断して取り外す。
【０００３】
しかし、上述のカッター１は、各種梱包部材を切断して取り外すことができるが、本体２によりカッターユニット６が覆われているため、カッターユニット６の尖端部７及び刃先部８のみが本体２から露出されている。しかし、カッター１を梱包部材に挿入して操作する際、本体２自体が一定の厚さを有するため、ユーザにとってカッター１を操作することは容易でなく、カッター１を円滑に使用することは困難であった。
【考案の概要】
【考案が解決しようとする課題】
【０００４】
本考案の主な目的は、カッターユニットの両側が第２の開口からそれぞれ突出され、カッターユニットの両側を覆う保護片は、本体と間隔をおいて配設されているためカッターを円滑に操作し、切断作業をスムーズに行うことができ、高効率で梱包部材を取り外すことができる、カッターを提供することにある。
【図面の簡単な説明】
【０００５】
【図１】従来のカッターを示す斜視図である。
【図２】本考案の一実施形態に係るカッターを示す斜視図である。
【図３】本考案の一実施形態に係るカッターを示す正面図である。
【図４】本考案の一実施形態に係るカッターを示す部分断面図である。
【図５】本考案の一実施形態に係るカッターで開封するときの状態を示す第１模式図である。
【図６】本考案の一実施形態に係るカッターで開封するときの状態を示す第２模式図である。
【図７】本考案の一実施形態に係るカッターでホチキス針を抜くときの状態を示す説明図である。
【図８】本考案の他の実施形態に係るカッターを示す正面図である。
【考案を実施するための形態】
【０００６】
図２〜図４を参照する。図２は、本考案の一実施形態に係るカッターを示す斜視図である。図３は、本考案の一実施形態に係るカッターを示す正面図である。図４は、本考案の一実施形態に係るカッターを示す部分断面図である。図２〜図４に示すように、本考案の一実施形態に係るカッター１００は、少なくとも本体１０、カッターユニット２０及び２つの保護片３０から構成されてなる。
【０００７】
本体１０は、板体である。本体１０の長軸両端には、第１の端部１１及び第２の端部１２がそれぞれ設けられる。本体１０の第１の端部１１には、カッターヘッド１３が設けられる。カッターヘッド１３は、略三角形状を呈するとともに、先端縁１３１及び２つの第１の平面１３２を有する。カッターヘッド１３には、収容空間１３３が形成されている。カッターヘッド１３の先端縁１３１の中央部には、収容空間１３３と連通する第１の開口１３４が形成されている。本体１０の第１の平面１３２には、収容空間１３３と連通する第２の開口１４が形成されている。
【０００８】
カッターユニット２０は、プレート状であり、カッターヘッド１３の収容空間１３３に挿設される。カッターユニット２０の両側は、第２の開口１４からそれぞれ突出される。また、カッターユニット２０は、刃先部２１を有する。本実施形態のカッターユニット２０は階段状である。カッターユニット２０は、尖鋭状の第１の尖端部２２を有する。第１の尖端部２２は、第１の開口１３４から突出される。カッターユニット２０の両側には、傾斜端２３がそれぞれ設けられる。傾斜端２３は、第２の開口１４からそれぞれ突出される。カッターユニット２０には、第１の尖端部２２と相対する側に刃先部２１が一体成形されている。刃先部２１の両端には、第２の尖端部２４がそれぞれ突設されている。また、カッターユニット２０には、傾斜端２３に隣接するように長尺状孔２５が形成されている。カッターユニット２０の中央部には、複数の穿孔２６が形成されている。
【０００９】
２つの保護片３０は、カッターユニット２０の両側をそれぞれ覆う。保護片３０は、本体１０と間隔をおいて設置され、保護片３０と本体１０との間にはチャネル３１がそれぞれ形成されている。保護片３０の一側には、カッターユニット２０に隣接するように第２の平面３２がそれぞれ形成されている。第１の平面１３２は、第２の平面３２に対して平行である。第２の平面３２と本体１０の長軸との間には、第１の角度αが形成される。第２の平面３２の刃先部２１に相対する位置には、第２の端部１２へ向かって外方へ広がった形状の第３の平面３３が形成されている。第３の平面３３と本体１０の長軸との間には、第２の角度βが形成される。第２の角度βは、第１の角度αより大きく、第３の平面３３と本体１０との間には、第１のネック口部３４が形成されている。保護片３０の外側面と、第３の平面３３との間には鋭角がそれぞれ形成され、保護片３０には鋭い角部３５がそれぞれ形成される。また、保護片３０の先端縁には、当接部３６がそれぞれ突設される。本実施形態の第２の角度βから第１の角度αを減算した角度は２０〜４０度である。
【００１０】
図５及び図６を参照する。図５は、本考案の一実施形態に係るカッターで開封するときの状態を示す第１模式図である。図６は、本考案の一実施形態に係るカッターで開封するときの状態を示す第２模式図である。図２、図３、図５及び図６に示すように、本考案の一実施形態に係るカッターは、梱包部材が梱包用粘着テープ２００及び複数のホチキス針３００である場合、縁部が完全に貼り合わされて隙間が全く無い梱包用粘着テープ２００を切断するときには、カッターユニット２０の第１の尖端部２２を梱包用粘着テープ２００に刺衝して梱包用粘着テープ２００にスリット２０１を形成してから、カッターヘッド１３をスリット２０１へ深く挿入し、カッター１００の位置を調整して刃先部２１を梱包用粘着テープ２００に位置を合わせ、複数のチャネル３１のうちの一つを梱包用粘着テープ２００のスリット２０１に位置を合わせ、刃先部２１により梱包用粘着テープ２００を切断すると、容易に梱包部材が切断され、取り外すことができる。
【００１１】
図７を参照する。図７は、本考案の一実施形態に係るカッターでホチキス梁を抜くときの状態を示す説明図である。図７に示すように、梱包部材に留められている複数のホチキス針３００を選択して取り外す際、第１の尖端部２２を利用するとホチキス針３００を順次取り外すことができる上、カッター１００は、保護片３０の鋭い角部３５を利用してホチキス針３００を取り外す。このように、カッター１００は様々な方式を利用してホチキス針で留められた梱包部材を完全に分解することができるため、梱包部材の分解効率を高めることができる。
【００１２】
図８を参照する。図８は、本考案の他の実施形態に係るカッターを示す正面図である。図８に示すように、本考案の他の実施形態に係るカッターは、本体１０の第１の平面１３２と保護片３０の第２の平面３２との間に形成された第３の角度γにより、本体１０と第２の平面３２との間に第２のネック口部３７が形成されている。第３の角度γは、１〜１０度であり、第１のネック口部３４に第２のネック口部３７を組み合わせ、本体１０が切断を行うときに、二段階の押付けと梱包部材の圧縮とにより円滑に切断を行うことができる。
【００１３】
本考案は、第１の角度α、第２の角度β及び鋭角により、保護片３０に鋭い角部３５が形成されている。ユーザはこの鋭い角部３５により段ボール、粘着テープ、包装用テープなどの梱包部材を突破ってから、カッター１００の刃先部２１を梱包部材の内側面に当接して切断作業を行うことができる。
【００１４】
保護片３０は、カッターユニット２０の第２の尖端部２４を覆う。第２の尖端部２４は、保護片３０の強度を高めることができる。
【００１５】
本体１０及び保護片３０は、長尺状孔２５及び穿孔２６を介してカッターユニット２０と一体成形される。この一体成形は射出成形でもよい。
【００１６】
保護片３０上には、第１の標示部３８及び第２の標示部３９がそれぞれ突設され、まず、ユーザは第１の標示部３８に隣接するように設けられた刃先部２１を使用し、第１の標示部３８に隣接するように設けられた刃先部２１が鈍るか断裂すると、第２の標示部３９に隣接するように設けられた刃先部２１を使用して梱包部材を切断することができる。
【００１７】
当接部３６は、梱包部材が設けられたオブジェクトの表面に当接される。第１の尖端部２２は、梱包部材及びオブジェクトに挿入することが可能な幅を有し、第１の尖端部２２の刺衝及び切断の深さを制限することができる。
【００１８】
上述したことから分かるように、本考案のカッターは、カッターユニット２０により梱包用粘着テープ２００の刺衝及び切断を行い、鋭い角部３５及び第１の尖端部２２によりホチキス針３００を取り除き、各種梱包部材を切断して取り外すことができる上、カッターユニット２０が第２の開口１４から突出され、カッターユニット２０の両側を覆う複数の保護片３０が本体１０と間隔をおいて設置されているため、カッター１００の操作の円滑度が高まり、切断作業がよりスムーズとなり、梱包部材を取り外す効率が高まる。
【符号の説明】
【００１９】
１    カッター
２    本体
３    当接部  
４    突片
５    間隙
６    カッターユニット
７    尖端部
８    刃先部
１０  本体
１１  第１の端部
１２  第２の端部
１３  カッターヘッド
１４  第２の開口
２０  カッターユニット
２１  刃先部
２２  第１の尖端部
２３  傾斜端
２４  第２の尖端部
２５  長尺状孔
２６  穿孔
３０  保護片
３１  チャネル
３２  第２の平面
３３  第３の平面
３４  第１のネック口部
３５  鋭い角部
３６  当接部
３７  第２のネック口部
３８  第１の標示部
３９  第２の標示部
１００  カッター
１３１  先端縁
１３２  第１の平面
１３３  収容空間
１３４  第１の開口
２００  梱包用粘着テープ
２０１  スリット
３００  ホチキス針
α  第１の角度
β  第２の角度
γ  第３の角度
【図１】
0003204038.tif 000003
【図２】
0003204038.tif 000004
【図３】
0003204038.tif 000005
【図４】
0003204038.tif 000006
【図５】
0003204038.tif 000007
【図６】
0003204038.tif 000008
【図７】
0003204038.tif 000009
【図８】
0003204038.tif 000010